(57)【要約】【課題】延長管に対して後付け可能なオプションアタッチメントとして取り扱うことのできるクリーナ用吸込み具を提供する。【解決手段】ブラシ用電動モータで回転駆動される回転ブラシを備える回転ブラシ付き吸込み具１８は、クリーナ本体１２に延長管１４を介して着脱可能に接続され、延長管１４に対して後付け可能なオプションアタッチメントとして構成される。【選択図】図１
2014200406.tif 000002
【特許請求の範囲】
【請求項１】
クリーナ本体に延長管を介して着脱可能に接続されるクリーナ用吸込み具であって、
ブラシ用電動モータで回転駆動される回転ブラシを備え、
前記延長管に対して後付け可能なオプションアタッチメントとして構成されている
ことを特徴とするクリーナ用吸込み具。
【請求項２】
請求項１に記載のクリーナ用吸込み具であって、
前記延長管に接続される直管状の管部材を備え、
前記管部材に、前記ブラシ用電動モータに給電する電池を保持する構成とした
ことを特徴とするクリーナ用吸込み具。
【請求項３】
請求項２に記載のクリーナ用吸込み具であって、
前記管部材に、前記ブラシ用電動モータの駆動をオンオフするブラシ用スイッチを備えたことを特徴とするクリーナ用吸込み具。
【請求項４】
請求項２又は３に記載のクリーナ用吸込み具であって、
前記管部材に、前記電池を覆うカバー体を軸回りの回動により開閉可能に設けたことを特徴とするクリーナ用吸込み具。
【発明の詳細な説明】
【技術分野】
【０００１】
本発明は、クリーナ（掃除機）のクリーナ本体に延長管を介して着脱可能に接続されるクリーナ用吸込み具に関する。詳しくは、ブラシ用電動モータで回転駆動される回転ブラシを備える回転ブラシ付き吸込み具に関する。
【背景技術】
【０００２】
特許文献１には、グリップ部と延長管部と吸口体部からなるスティック型の組立体を、ホース部から分離して独立したクリーナとして使用可能なクリーナが開示されている。吸口体部に、回転ブラシ、ブラシ用電動モータ、送風機、送風機用電動モータ、集塵室等を備えている。
【０００３】
特許文献２には、電動送風機及び集塵室を内蔵した掃除機本体と、掃除機本体に着脱自在に接続されたホースと、ホースに接続された手元操作部と、手元操作部に延長管を介して接続された吸口体とを有するクリーナが開示されている。吸口体は、回転清掃体を駆動するブラシ用電動モータ、ブラシ用電動モータに電源を供給する電池、手元操作部からの操作信号を受けてブラシ用電動モータの駆動を制御する吸口制御装置等を備えている。
【先行技術文献】
【特許文献】
【０００４】
【特許文献１】特開２００３−１１１６９５号公報
【特許文献２】特開２００３−１４４３６０号公報
【発明の概要】
【発明が解決しようとする課題】
【０００５】
前記特許文献１のものでは、グリップ部に設けられた手元スイッチを操作することにより、グリップ部から延長管部を介して吸口体部に有線によって制御信号が送信され、吸口体部の送風機用電動モータ及び回転ブラシ用電動モータが駆動される。したがって、吸口体部は、送風機用電動モータ及び回転ブラシ用電動モータにかかる配線の関係上、掃除機本体、グリップ部及び延長管部と共にセットで販売される。このため、吸口体部を、既存の延長管部に対して後付け可能なオプションアタッチメントとして取り扱うことは困難であった。
【０００６】
前記特許文献２のものでは、手元操作部に設けられた操作スイッチを操作することにより、手元操作部から延長管を介して吸口体に信号線によって制御信号が送信され、吸口体のブラシ用電動モータが駆動される。したがって、吸口体は、ブラシ用電動モータにかかる配線の関係上、掃除機本体、手元操作部及び延長管と共にセットで販売される。このため、吸口体を、既存の延長管に対して後付け可能なオプションアタッチメントとして取り扱うことは困難であった。
【０００７】
本発明の目的は、延長管に対して後付け可能なオプションアタッチメントとして取り扱うことのできるクリーナ用吸込み具を提供することにある。
【課題を解決するための手段】
【０００８】
第１の発明は、クリーナ本体に延長管を介して着脱可能に接続されるクリーナ用吸込み具であって、ブラシ用電動モータで回転駆動される回転ブラシを備え、延長管に対して後付け可能なオプションアタッチメントとして構成されている。この構成によると、クリーナ用吸込み具を、延長管に対して後付け可能なオプションアタッチメントとして取り扱うことができる。これにより、クリーナ本体側と吸込み具側との間に配索する電気配線を不要とし、その電気配線による重量アップ、操作性の悪化及びコストアップ等を抑制することができる。
【０００９】
第２の発明は、第１の発明において、延長管に接続される直管状の管部材を備え、管部材に、ブラシ用電動モータに給電する電池を保持する構成としている。この構成によると、吸込み口側部材に電池を保持する構成とした場合における吸込み口側部材の大型化を回避することができる。このため、狭隘な場所での掃除が可能となり、使用性を向上することができる。
【００１０】
第３の発明は、第２の発明において、管部材に、ブラシ用電動モータの駆動をオンオフするブラシ用スイッチを備えている。この構成によると、管部材に備えたブラシ用スイッチによりブラシ用電動モータの駆動をオン・オフすることができる。このため、回転ブラシを回転させたいときのみ、ブラシ用スイッチをオンすればよい。また、クリーナ本体側にブラシ用スイッチを備える場合と比べて、電気配線を簡素化することができる。
【００１１】
第４の発明は、第２又は第３の発明において、管部材に、電池を覆うカバー体を軸回りの回動により開閉可能に設けている。この構成によると、電池の交換に際して、管部材に対してカバー体を軸回りの回動により開閉することができる。
【図面の簡単な説明】
【００１２】
【図１】一実施形態にかかる回転ブラシ付き吸込み具を備えたハンディクリーナを示す斜視図である。
【図２】回転ブラシ付き吸込み具を備えたハンディクリーナを示す側面図である。
【図３】回転ブラシ付き吸込み具を示すもので、図２のIII矢視方向から見た図である。
【図４】図３のIV-IV線矢視断面図である。
【図５】回転ブラシ付き吸込み具を分解して示す俯瞰図である。
【図６】回転ブラシ付き吸込み具を分解して示す仰視図である。
【図７】電池ケースのカバー体を開いた状態の回転ブラシ付き吸込み具を示す斜視図である。
【図８】電池ケースのカバー体を開いた状態の回転ブラシ付き吸込み具を示す側面図である。
【図９】図８のIX矢視方向から見た図である。
【図１０】図８のX矢視方向から見た図である。
【図１１】電池ケースを示すもので、図２のXI−XI線矢視断面図である。
【図１２】電池ケースを示すもので、図８のXII−XII線矢視断面図である。
【図１３】吸込み具本体を示すもので、図２のXIII矢視方向から見た図である。
【図１４】図２のXIV矢視方向から見た吸込み具本体の内部構造を示す図である。
【図１５】尾錠の施錠状態を示す側断面図である。
【図１６】尾錠の開錠状態を示す側断面図である。
【図１７】回転ブラシ無し吸込み具を備えたハンディクリーナを示す斜視図である。
【発明を実施するための形態】
【００１３】
以下、本発明を実施するための一実施形態について図面を用いて説明する。本実施形態では、クリーナとして、使用者が片手で持って簡便に使用することのできる小形かつ軽量の掃除機いわゆるハンディ型クリーナ（以下、「ハンディクリーナ」という）であって、充電式電池を具備するコードレスクリーナ（「充電式クリーナ」とも呼ばれる）を例示する。ハンディクリーナの基本的な構成は従来公知の構成であるので、その構成の詳しい説明は省略する。図１は回転ブラシ付き吸込み具を備えたハンディクリーナを示す斜視図、図２は同じく側面図、図１７は回転ブラシ無し吸込み具を備えたハンディクリーナを示す斜視図である。
【００１４】
図１７に示すように、標準的なハンディクリーナ１０は、クリーナ本体１２と延長管１４と回転ブラシ無し吸込み具１６とを備えている。また、延長管１４には、回転ブラシ無し吸込み具１６に代えて、回転ブラシ付き吸込み具１８が後付け可能となっている（図１及び図２参照）。なお、ハンディクリーナ１０における前後上下の各方向は、吸込み具１６又は１８側を前方、クリーナ本体１２側を後方、クリーナ本体１２の手持ち側を上方とする。また、ハンディクリーナ１０の左右については、ハンディクリーナ１０を使用する使用者から見た左右に対応する。以下、クリーナ本体１２、延長管１４、回転ブラシ無し吸込み具１６、回転ブラシ付き吸込み具１８の順で説明する。なお、回転ブラシ付き吸込み具１８は本明細書でいう「クリーナ用吸込み具」に相当する。
【００１５】
クリーナ本体１２を説明する。図１７に示すように、クリーナ本体１２は、本体ハウジング２０と、本体ハウジング２０の前半部分の上部に開閉可能に設けられたフロントカバー２１とを備えている。本体ハウジング２０の後上部には、ループ形状のハンドル部２２が設けられている。使用者は、掃除に際してハンドル部２２を把持する。ハンドル部２２の下面側には、バッテリ取付け部２３が設けられている。バッテリ取付け部２３には、バッテリパック２５が着脱可能に装着されている。バッテリパック２５は、ファン用電動モータ２７（後述する）の電源である。また、バッテリパック２５は、直方体形状で、バッテリ取付け部２３に対して後側から前側へスライドさせることにより取付けることができる。逆に、バッテリパック２５は、バッテリ取付け部２３から後ろ側へスライドさせることにより取外すことができる。バッテリパック２５は、バッテリ取付け部２３から取外し、別途用意した充電器（図示省略）によって充電することにより、繰り返し使用することができる充電式のバッテリである。また、バッテリパック２５としては、例えばリチウムイオンバッテリが用いられている。
【００１６】
図２に示すように、前記本体ハウジング２０の後部内には、前記バッテリパック２５を電源として駆動されるファン用電動モータ２７と、ファン用電動モータ２７により回転するファンを主体とする吸引機構２８が設けられている。本体ハウジング２０の前部内には、集塵室（図示省略）が形成されている。また、本体ハウジング２０の前端部（先端部）には、円筒状の吸塵口３２が設けられている。また、本体ハウジング２０の後部の両側部には、排気口３４が設けられている。
【００１７】
前記本体ハウジング２０の前端部の上側には、前記フロントカバー２１の開閉用ボタン３６が設けられている（図１７参照）。開閉用ボタン３６を押動操作してフロントカバー２１を開くことにより、本体ハウジング２０内の集塵室（図示省略）に集塵した塵埃等を廃棄することができる。また、フロントカバー２１を閉じたときには、開閉用ボタン３６が内蔵のスプリングによりフロントカバー２１に弾性的に係合することにより、フロントカバー２１が閉じ状態に保持される。
【００１８】
前記ハンドル部２２の上側には、使用者が指先で操作する押しボタン式の高低切替えスイッチ３８及び停止スイッチ３９が設けられている。高低切替えスイッチ３８を押すと、前記ファン用電動モータ２７（図２参照）が高回転モードで駆動され、再度、高低切替えスイッチ３８を押すと、ファン用電動モータ２７が低回転モードで駆動され、もう一度、高低切替えスイッチ３８を押すと、ファン用電動モータ２７が高回転モードで駆動される。ファン用電動モータ２７が駆動されることにより、吸塵口３２から塵埃等を吸引することができる。また、停止スイッチ３９を押すと、ファン用電動モータ２７の駆動が停止される。
【００１９】
前記ハンドル部２２の上側には、前記高低切替えスイッチ３８の前側に位置するバッテリ切れを知らせる報知ランプ４０が設けられている。また、ハンドル部２２の上側には、報知ランプ４０の前方に位置する照明具４２が設けられている。照明具４２は、前記クリーナ本体１２の前方を照明するもので、前記ファン用電動モータ２７（図２参照）の駆動及び停止に連動して点灯及び消灯する。また、報知ランプ４０及び照明具４２の光源には、例えば、ＬＥＤ（発光ダイオード）が用いられている。ＬＥＤに代えて、電球を用いてもよい。報知ランプ４０及び照明具４２の電源として前記バッテリパック２５が利用されている。また、ハンドル部２２の後端部には、吊り下げ用のストラップ４４が取付けられている。なお、クリーナ本体１２は単体で使用することもできる。
【００２０】
次に、延長管１４を説明する。図１７に示すように、延長管１４は、直管状で断面円形状のパイプにより形成されている。延長管１４は、その主体をなす管本体４６と、管本体４６の一端部（後端部）に形成された差口部４７と、管本体４６の他端部（前端部）に形成された受口部４８とを有する。また、図３は回転ブラシ付き吸込み具を示すもので、図２のIII矢視方向から見た図、図４は図３のIV-IV線矢視断面図、図５は回転ブラシ付き吸込み具を分解して示す俯瞰図、図６は同じく仰視図である。図３〜図６には回転ブラシ付き吸込み具１８と共に延長管１４が示されている。
【００２１】
前記延長管１４の差口部４７の外周面は、先端（後端）に向かって次第に小径となるテーパ状に形成されている（図４参照）。差口部４７を前記クリーナ本体１２の吸塵口３２に差し込むすなわち圧入することにより、延長管１４がクリーナ本体１２に着脱可能に接続される（図２及び図１７参照）。なお、クリーナ本体１２の吸塵口３２には、延長管１４の他、棚用吸込み具、サッシ用（隙間用）吸込み具、フレキシブルホース等のアタッチメントの差口部が選択的にかつ着脱可能に接続可能となっている。
また、延長管１４の受口部４８の内周面及び外周面は、先端（前端）に向かって次第に大径となるテーパ状に形成されている（図４参照）。受口部４８の基端部（後端部）の外周面には、受口部４８のテーパ状の勾配よりも急勾配のテーパ面４９が形成されている。
【００２２】
次に、回転ブラシ無し吸込み具１６を説明する。図１７に示すように、回転ブラシ無し吸込み具１６は、横長の有天筒状の吸込み口部材５１と、エルボ管状で断面円形状の接続管部材５３とを備えている。吸込み口部材５１の中央部の後上部に対して、接続管部材５３の前端部が上下左右方向及び軸回り方向に回動可能に接続されている。接続管部材５３の後端部には差口部５４が形成されている。差口部５４の外周面は、前記延長管１４の差口部４７と同様、先端（後端）に向かって次第に小径となるテーパ状に形成されている。差口部５４を延長管１４の受口部４８に差し込むすなわち圧入することにより、回転ブラシ無し吸込み具１６が延長管１４に着脱可能に接続される。なお、回転ブラシ無し吸込み具１６の接続管部材５３の差口部５４は、クリーナ本体１２の吸塵口３２に着脱可能に接続することもできる。
【００２３】
前記したクリーナ本体１２に延長管１４を介して回転ブラシ無し吸込み具１６を接続したハンディクリーナ１０（図１７参照）によると、使用者は立った姿勢で、床、畳、カーペット、絨毯等の掃除面の掃除を行うことができる。この場合、使用者がクリーナ本体１２の高低切替えスイッチ３８を操作することにより、バッテリパック２５からファン用電動モータ２７（図２参照）に電力が供給されるため、ファン用電動モータ２７が駆動される。これにより、回転ブラシ無し吸込み具１６の吸込み口部材５１の開口部に負圧が発生する。この状態で、使用者は、回転ブラシ無し吸込み具１６の吸込み口部材５１を掃除面に沿って移動させることにより、掃除面の塵埃等が空気と共に回転ブラシ無し吸込み具１６内に吸引される。回転ブラシ無し吸込み具１６に吸引された塵埃は、延長管１４を通じてクリーナ本体１２の本体ハウジング２０内の集塵室（図示省略）に集塵される。また、掃除を終了するときは、クリーナ本体１２の停止スイッチ３９を操作することにより、バッテリパック２５からファン用電動モータ２７への電力の供給が遮断されるため、ファン用電動モータ２７は駆動を停止する。
【００２４】
次に、回転ブラシ付き吸込み具１８を説明する。図１及び図２に示すように、回転ブラシ付き吸込み具１８は、前記ハンディクリーナ１０の回転ブラシ無し吸込み具１６（図１７参照）に代えて使用されるものである。回転ブラシ付き吸込み具１８は、ハンディクリーナ１０の延長管１４に対して後付け可能なオプションアタッチメントとして構成されている。
【００２５】
前記回転ブラシ付き吸込み具１８は、吸込み具本体５６と電池ケース５８とを備えている。吸込み具本体５６は電池ケース５８を説明した後で説明する。図７は電池ケースの電池ケースのカバー体を開いた状態の回転ブラシ付き吸込み具を示す斜視図、図８は同じく側面図、図９は図８のIX矢視方向から見た図、図１０は図８のX矢視方向から見た図である。図７〜図１０には回転ブラシ付き吸込み具と共に延長管１４が示されている。また、図１１は電池ケースを示すもので、図２のXI−XI線矢視断面図、図１２は同じく図８のXII−XII線矢視断面図である。
【００２６】
図５及び図６に示すように、電池ケース５８は、ケース本体６０とカバー体６２とにより構成されている。図５及び図６ではケース本体６０とカバー体６２間に延長管１４が表わされている。また、図４に示すように、ケース本体６０は、樹脂製で、ケース内筒部６４とケース外筒部６６とを有する。ケース内筒部６４は、その主体をなす円筒状の主筒部６８と、主筒部６８の一端部（後端部）に形成された差口部６９と、主筒部６８の他端部（前端部）に形成された受口部７０とを有する。差口部６９の外周面は、先端に向かって次第に小径となるテーパ状に形成されている。また、受口部７０は、主筒部６８の前端部に口径を大きくする段付円筒状に形成されている。
【００２７】
前記ケース外筒部６６は、前記ケース内筒部６４の筒径よりも大きい筒径を有する円筒状に形成されている。ケース外筒部６６の前端部とケース内筒部６４の差口部６９の基端部（前端部）とは、円環板状の端板部７２を介して連設されている。ケース内筒部６４の差口部６９とケース外筒部６６の前部とは内外二重筒構造をなしており、その両者間には円環状の嵌合溝７３が形成されている。嵌合溝７３は、前記延長管１４の受口部４８を嵌合可能に形成されている。ケース外筒部６６の後部は、ケース内筒部６４の差口部６９よりも後方へ延びている。
【００２８】
前記ケース外筒部６６の上面側には、前後方向に延びかつ上面を開口する長四角形箱状の電池収納部７５が形成されている。電池収納部７５は、ケース外筒部６６の上側部を底壁部として、前壁部７９と後壁部８０と左壁部８１と右壁部８２とを有する（図６参照）。電池収納部７５は、例えば単３形の乾電池７７を４本収納可能に形成されている。４本の乾電池７７は、左右２列で、その長手方向を前後方向に向けた状態で収納されている（図６参照）。なお、乾電池７７は本明細書でいう「電池」に相当する。
【００２９】
前記電池収納部７５において、前壁部７９は、前記端板部７２と同一平面上に形成されている（図４参照）。前壁部７９及び後壁部８０は、電池収納部７５に収納された左右２列の乾電池７７の前後両端面をそれぞれ覆うように形成されている。また、図１１に示すように、左壁部８１は、電池収納部７５に収納された左列の乾電池７７の左端部に上端が当接する低い高さに形成されている。また、右壁部８２の上端部は、電池収納部７５に収納された右列の乾電池７７の右側上部に倣うように左側へ緩やかに湾曲されている。右壁部８２の上端部には、左方へ突出する段付状の係合凸部８３が形成されている。係合凸部８３の前後両端部８３ａ，８３ｂは、前壁部７９の後面及び後壁部８０の前面に沿って左方へ延びている（図６参照）。
【００３０】
図５に示すように、前記ケース外筒部６６の前後方向（軸方向）の中央部の下面側には、四角形状の位置決め突起８５が形成されている。位置決め突起８５は、ケース外筒部６６の当該部位の肉厚を半径方向外方へ厚くすることによって形成されている（図４、図１０及び図１１参照）。位置決め突起８５の四辺は前後左右方向に向いている。
【００３１】
図４に示すように、前記ケース外筒部６６の後端部の上側面でかつ前記電池収納部７５の後壁部８０の後側には、押しボタン式のブラシ用スイッチ８８を備えたスイッチボックス８７が装着されている。ブラシ用スイッチ８８は、使用者が後方から指先で押し込み操作可能になっている。
また、図６に示すように、前記ケース内筒部６４の主筒部６８及び受口部７０の上面側には、前後方向に延びる左右一対の端子台９１が形成されている。両端子台９１には左右一対の雌型端子９２が組込まれている。また、図示しないが、前記電池収納部７５には、前記４本の乾電池７７を直列的に接続するとともに、ブラシ用スイッチ８８及び両雌型端子９２（図６参照）を含む電気配線（図示省略）が設けられている。
【００３２】
図４に示すように、前記ケース内筒部６４の主筒部６８の上面側には、レバー形状の尾錠９４が設けられている。尾錠９４は、前記一対の端子台９１（図６参照）の間に配置されている。図１５は尾錠の施錠状態を示す側断面図、図１６は同じく開錠状態を示す側断面図である。
図１５に示すように、尾錠９４は、中央部の下側に突出する支点部９５と、一端部（後端部）に有天筒状に形成された操作部９６と、他端部（前端部）の下側に突出する係止爪９７とを有する。尾錠９４は、前記ケース内筒部６４の主筒部６８の上面側に対して長手方向を前後方向に向けた状態で支点部９５を支点としてシーソー状に揺動可能に支持されている。支点部９５は、凸型円弧状に形成されており、主筒部６８の上面側に形成された凹型円弧状の支持溝９８に摺動可能に支持されている。
【００３３】
前記操作部９６と前記主筒部６８との対向面間には、コイルばねからなる戻しばね１００が介装されている。戻しばね１００は、操作部９６を押上げる方向に付勢している。また、尾錠９４は、操作部９６が戻しばね１００で押上げられる状態が施錠状態である（図１５参照）。また、操作部９６を戻しばね１００の付勢に抗して押下げることにより開錠状態になる（図１６参照）。
【００３４】
前記ケース内筒部６４の受口部７０の上端部には、前記尾錠９４の係止爪９７に対応しかつ前方に開口する切欠溝１０２が形成されている。また、操作部９６の天井面及びケース内筒部６４の主筒部６８の上面側には、円柱状のガイド突起１０４，１０５が対向状に形成されている。両ガイド突起１０４，１０５には、前記戻しばね１００の上下両端部が嵌合されている。両ガイド突起１０４，１０５は、戻しばね１００の上下両端部をガイドする。
【００３５】
前記ケース内筒部６４の主筒部６８の上面側には、尾錠カバー１０７が装着されている。尾錠カバー１０７は、前記尾錠９４を含む前記一対の端子台９１（図６参照）の上面及び両側面、並びに、前記電池収納部７５の前端側を覆っている。尾錠カバー１０７の下面側には、尾錠９４の中央部上に当接又は近接するピン状の尾錠押え部１０８が形成されている。尾錠９４に尾錠押え部１０８が当接することにより、尾錠９４の上方への脱落が防止されている。また、尾錠カバー１０７の後端部には開口孔１１０が形成されている。開口孔１１０には尾錠９４の操作部９６が遊嵌状に嵌合されており、開口孔１１０から操作部９６の上端部が上方へ突出されている。
【００３６】
図４に示すように、前記カバー体６２は、樹脂製で、カバー内筒部１１２とカバー外筒部１１４とを有する。カバー内筒部１１２は円筒状に形成されている。カバー内筒部１１２は、前記延長管１４の管本体４６に対して差口部４７側（後側）から嵌合可能に形成されているとともに、延長管１４の受口部４８により前方への抜け外れが制限されるように形成されている。カバー内筒部１１２の前端部の内周面には、先端（前端）に向かって次第に大径となるテーパ面１１６が形成されている。テーパ面１１６は、延長管１４の受口部４８のテーパ面４９に対して面接触状に当接可能に形成されている。
【００３７】
図１１に示すように、前記カバー外筒部１１４はＣ字筒状に形成されている。カバー外筒部１１４の開口部の周方向の一側（後面視で左回り方向側）の端縁部には、半径方向外方へ斜めに突出する円弧板状のカバー部１２０が形成されている。カバー外筒部１１４の後端部と前記カバー内筒部１１２の後端部とは、円環板状の端板部１２２を介して連設されている（図４参照）。カバー外筒部１１４とカバー内筒部１１２とは内外二重筒構造をなしており、その両者間に円環状の嵌合凹部１２４が形成されている。嵌合凹部１２４は、前記ケース本体６０のケース外筒部６６を嵌合可能に形成されている。
【００３８】
前記カバー外筒部１１４の内周側には、軸方向に延びかつ前端面を開口する凹溝部１２６が形成されている（図６参照）。凹溝部１２６は、カバー外筒部１１４の当該部位を半径方向外方へ拡径することにより形成されている（図１１参照）。凹溝部１２６は、前記ケース本体６０のケース外筒部６６にカバー外筒部１１４を嵌合するに際し、ケース外筒部６６の位置決め突起８５を嵌合可能に形成されている。なお、凹溝部１２６は、位置決め突起８５の前後方向の長さよりも長い前後方向の長さを有する。本実施形態では、凹溝部１２６の前後方向の長さは、位置決め突起８５の前後方向の長さの約２倍である。
【００３９】
前記カバー外筒部１１４には、前記凹溝部１２６の後半部から周方向の一側（後面視で左回り方向側）に連続する四角形状の位置決め溝部１２８が形成されている（図１０及び図１２参照）。位置決め溝部１２８は、前記凹溝部１２６に嵌合した位置決め突起８５をカバー外筒部１１４の周方向に受入れ可能すなわち係合可能に形成されている（図１１参照）。
【００４０】
また、前記カバー部１２０の外端部には、前後方向に延びる係合凹部１３０が形成されている。係合凹部１３０の前後両端部は、カバー部１２０の前後両端部に沿って左方へ延びている（図６参照）。係合凹部１３０は、前記電池収納部７５の右壁部８２の係合凸部８３（前後両端部８３ａ，８３ｂを含む）に対して係合可能に形成されている。
【００４１】
前記延長管１４に前記電池ケース５８を接続する手順について説明する。図５及び図６に示す状態において、ケース本体６０の円環状の嵌合溝７３に延長管１４の受口部４８を差し込む（図４参照）。一方、延長管１４にカバー体６２のカバー内筒部１１２を嵌合する。このとき、カバー内筒部１１２は延長管１４の管本体４６に差口部４７側（後側）から嵌合する。続いて、ケース本体６０のケース外筒部６６の位置決め突起８５にカバー体６２のカバー外筒部１１４の凹溝部１２６を嵌合するとともに、ケース本体６０の電池収納部７５にカバー体６２のカバー外筒部１１４の開口部を嵌合する（図１２参照）。
【００４２】
また、ケース本体６０のケース外筒部６６にカバー体６２の円環状の嵌合凹部１２４を嵌合し、延長管１４の受口部４８のテーパ面４９にカバー体６２のカバー内筒部１１２のテーパ面１１６を当接させる（図４参照）。また、ケース本体６０のケース外筒部６６の後端面にカバー体６２の端板部１２２が当接又は近接する。これにより、カバー体６２は、延長管１４から前方へ抜け外れない。また、ケース本体６０とカバー体６２との間に延長管１４の受口部４８が挟持されることにより、ケース本体６０とカバー体６２とが延長管１４を間にして軸方向に位置決めされる。
【００４３】
また、カバー体６２のカバー部１２０は、ケース本体６０の電池収納部７５を開放した状態に位置する（図７〜図１０及び図１２参照）。ここで、電池収納部７５に必要本数の乾電池７７を収納する。あるいは、電池収納部７５に予め必要本数の乾電池７７を収納しておいてもよい。
【００４４】
続いて、ケース本体６０に対してカバー体６２を後面視で右回り方向（図１２中、矢印Ｙ１参照）に回動させることにより、ケース本体６０の電池収納部７５をカバー体６２のカバー部１２０により閉鎖する（図１１参照）。これにともない、ケース本体６０のケース外筒部６６の位置決め突起８５にカバー体６２のカバー外筒部１１４の位置決め溝部１２８が係合する。これにより、ケース本体６０とカバー体６２とが軸方向すなわち前後方向に位置決めされる（図４参照）。
【００４５】
また、ケース本体６０の電池収納部７５の前壁部７９と後壁部８０との間に、カバー体６２のカバー部１２０が嵌合することによっても、ケース本体６０とカバー体６２とが軸方向すなわち前後方向に位置決めされる。また、ケース本体６０の電池収納部７５の右壁部８２の係合凸部８３（前後両端部８３ａ，８３ｂを含む）に、カバー体６２のカバー部１２０の係合凹部１３０が係合する。これにより、カバー体６２が閉鎖状態に保持される。また、カバー体６２のカバー部１２０の径方向外方への弾性を利用して係合凸部８３に係合凹部１３０を弾性的に当接させるとよい。
【００４６】
上記のようにして、延長管１４に電池ケース５８を接続することができる（図３及び図４参照）。なお、延長管１４に電池ケース５８を接続した状態（図４参照）において、カバー体６２のカバー外筒部１１４は、ケース本体６０のケース外筒部６６の略全長に対応する。また、ケース本体６０のケース外筒部６６の位置決め突起８５の外側面と、カバー体６２のカバー外筒部１１４の外周面とは同一面又は略同一面をなす。なお、ケース本体６０は本明細書でいう「管部材」に相当する。
【００４７】
また、延長管１４に電池ケース５８を接続した状態で、ケース本体６０に対してカバー体６２を後面視で左回り方向（図１１中、矢印Ｙ２参照）に回動させることにより、ケース本体６０の電池収納部７５を開放することができる（図１２参照）。これにより、電池収納部７５に対して電池交換を行うことができる。その後、前記と同様に、ケース本体６０に対してカバー体６２を後面視で右回り方向（図１２中、矢印Ｙ１参照）に回動させてケース本体６０の電池収納部７５をカバー体６２のカバー部１２０により閉鎖すればよい。
【００４８】
次に、吸込み具本体５６を説明する。図１３は吸込み具本体を示すもので、図２のXIII矢視方向から見た図、図１４は図２のXIV矢視方向から見た吸込み具本体の内部構造を示す図である。
図１３及び図１４に示すように、吸込み具本体５６は、横長の中空ボックス状のハウジング１３２と、エルボ管状で断面円形状の接続管部材１３４とを備えている。図８に示すように、ハウジング１３２は、上下に２分割された上側のハウジング部材１３６と下側のハウジング部材１３８とを結合することにより構成されている。両ハウジング部材１３６，１３８の結合により、ハウジング１３２の中央部の後上部に接続管部材１３４の前端部が上下左右方向及び軸回り方向に回動可能に接続されている（図４参照）。下側のハウジング部材１３８の前部には、下面側に開口する吸込み口１４０が開口されている。なお、ハウジング１３２は本明細書でいう「吸込み口側部材」に相当する。また、図１４は上側のハウジング部材１３８を取外して吸込み具本体５６の内部構造を表している。
【００４９】
図４に示すように、前記ハウジング１３２の前部内には回転ブラシ１４２が配置されている（図１３及び図１４参照）。回転ブラシ１４２は、支持軸１４３の外周面にブラシ毛１４４を植毛してなる。回転ブラシ１４２の支持軸１４３の両端部は、両ハウジング部材１３６，１３８の間に回転可能に支持されている。
【００５０】
図１４に示すように、ハウジング１３２の内部空間、詳しくは後部内の一側部（例えば接続管部材１３４の左側の空間部）には、回転ブラシ１４２を回転駆動するブラシ用電動モータ１４６が配置されている。ブラシ用電動モータ１４６は出力軸１４７が左方に向けられているとともに、その出力軸１４７が回転ブラシ１４２の支持軸１４３と平行をなすように配置されている。
【００５１】
前記ブラシ用電動モータ１４６と前記回転ブラシ１４２とは、ベルト伝動機構１５０を介して連結されている。ベルト伝動機構１５０は、ブラシ用電動モータ１４６の出力軸１４７に取付けられた駆動プーリ１５１と、回転ブラシ１４２の支持軸１４３の一端部（左端部）部に取付けられた従動プーリ１５２と、駆動プーリ１５１と従動プーリ１５２とに掛装された伝動ベルト１５３とを備えている。したがって、ブラシ用電動モータ１４６の駆動により出力軸１４７が回転されると、その回転力が駆動プーリ１５１、伝動ベルト１５３、従動プーリ１５２を介して回転ブラシ１４２に伝達される結果、回転ブラシ１４２が回転される。回転ブラシ１４２の回転によって掃除面の塵埃が掻きあげられる。
【００５２】
前記接続管部材１３４の後部の上面側にはコネクタ１５５が取付けられている。コネクタ１５５は、左右一対のピン型の雄型端子１５６を備えている。両雄型端子１５６は、前記ブラシ用電動モータ１４６に電気配線１５７を介して電気的に接続されている。また、両雄型端子１５６は、前記電池ケース５８のケース本体６０の両雌型端子９２（図６参照）に対して前方から接続可能となっている。また、下側のハウジング部材１３８の後端部には、左右一対のローラ１６０が左右方向に延びる支軸１６１を介して回転可能に支持されている。ローラ１６０は、掃除時に掃除面を転動する。
【００５３】
前記接続管部材１３４の後端部には差口部１６３が形成されている。図１５に示すように、差口部１６３は、前記電池ケース５８のケース本体６０の受口部７０に差し込みにより接続可能となっている（図４参照）。また、差口部１６３の上面側には、隆起部１６５が形成されている。隆起部１６５は、ケース本体６０のケース内筒部６４の受口部７０の切欠溝１０２に対して軸方向に係合可能に形成されている（図１５参照）。隆起部１６５の上面には、前記電池ケース５８の尾錠９４の係止爪９７に対応する係止溝１６６が形成されている。
【００５４】
前記延長管１４に接続された前記電池ケース５８に前記吸込み具本体５６を接続する手順を説明する。吸込み具本体５６の接続管部材１３４の差口部１６３を電池ケース５８のケース本体６０のケース内筒部６４の受口部７０に差し込みにより接続する（図４参照）。このとき、接続管部材１３４の差口部１６３の隆起部１６５がケース内筒部６４の受口部７０の切欠溝１０２に係合する（図１５参照）。これにともない、接続管部材１３４のコネクタ１５５の両雄型端子１５６（図１４参照）がケース本体６０の両雌型端子９２（図６参照）に対してそれぞれ接続される。これにより、吸込み具本体５６のブラシ用電動モータ１４６（図１４参照）と電池ケース５８の電気配線（図示省略）とが電気的に接続される。また、コネクタ１５５と尾錠カバー１０７とは前後方向に一連状に連なる（図４参照）。
【００５５】
また、ケース本体６０の尾錠９４の係止爪９７が、接続管部材１３４の差口部１６３における隆起部１６５（詳しくは、係止溝１６６の後壁部分）を戻しばね１００の弾性を利用して乗り越えることにより係止溝１６６に係合される（図１５参照）。これにより、電池ケース５８に吸込み具本体５６が抜け止め（施錠）される。なお、相互に当接する尾錠９４の係止爪９７の後面と係止溝１６６の後壁面とは、下端から上端に向かって次第に前方へ傾く傾斜面に形成されている。
【００５６】
上記のようにして、延長管１４に接続された電池ケース５８に吸込み具本体５６を接続することができる（図３及び図４参照）。すなわち、回転ブラシ付き吸込み具１８を延長管１４に装着することができる。
また、回転ブラシ付き吸込み具１８を装着した延長管１４は、クリーナ本体１２に対して前に述べたようにして接続される（図１及び図２参照）。なお、延長管１４は、電池ケース５８を接続する前、あるいは、電池ケース５８を接続した後で電池ケース５８に吸込み具本体５６を接続する前において、クリーナ本体１２に接続してもよい。
【００５７】
前記したクリーナ本体１２に延長管１４を介して回転ブラシ付き吸込み具１８を接続したハンディクリーナ１０（図１及び図２参照）を用いて掃除を行うときは、前記回転ブラシ無し吸込み具１６の場合と同様、使用者がクリーナ本体１２の高低切替えスイッチ３８（図１７参照）を操作することにより、ファン用電動モータ２７（図２参照）が駆動される。これにより、回転ブラシ付き吸込み具１８の吸込み具本体５６のハウジング１３２の吸込み口１４０に負圧が発生する。この状態で、使用者は、吸込み具本体５６のハウジング１３２の吸込み口１４０（図４参照）を掃除面に沿って移動させることにより、掃除面の塵埃等が空気と共に回転ブラシ付き吸込み具１８の吸込み具本体５６内に吸引される。吸込み具本体５６内に吸引された塵埃は、接続管部材１３４から電池ケース５８のケース本体６０のケース内筒部６４及び延長管１４を通じてクリーナ本体１２の本体ハウジング２０内の集塵室（図示省略）に集塵される。
【００５８】
ところで、カーペット、絨毯等の掃除面を掃除する際には、電池ケース５８のブラシ用スイッチ８８をオン操作することにより、乾電池７７から吸込み具本体５６のブラシ用電動モータ１４６（図１４参照）に電力が供給される。電力が供給されたブラシ用電動モータ１４６が駆動されると、ベルト伝動機構１５０（図１４参照）を介して回転ブラシ１４２が回転される。回転ブラシ１４２の回転によって掃除面の塵埃が掻きあげられる。
【００５９】
このため、カーペット、絨毯等の掃除面から、クリーナ本体１２の負圧（吸引力）だけでは取れ難い塵埃を回転ブラシ１４２により掻きあげて掃除することができる。また、回転ブラシ１４２の回転を停止するときは、ブラシ用スイッチ８８をオフ操作することにより、乾電池７７からの電力供給が遮断されるため、ブラシ用電動モータ１４６は駆動を停止する。また、掃除を終了するときは、クリーナ本体１２の停止スイッチ３９を操作することにより、ファン用電動モータ２７（図２参照）は駆動を停止する。
【００６０】
また、延長管１４から回転ブラシ付き吸込み具１８を取外すときには、電池ケース５８の尾錠９４の操作部９６を押し込み操作することにより、吸込み具本体５６の接続管部材１３４の差口部１６３の隆起部１６５の係止溝１６６に対する係止爪９７の係合を解除（開錠）する（図１６参照）。これにより、接続管部材１３４とともに吸込み具本体５６を、電池ケース５８のケース本体６０から抜き外すことができる。これにともない、接続管部材１３４のコネクタ１５５の両雄型端子１５６（図１４参照）を、ケース本体６０の両雌型端子９２（図６参照）からそれぞれ抜き外すことができる。また、電池ケース５８は、延長管１４に接続する手順の逆順によって、ケース本体６０とカバー体６２とに分解することにより、延長管１４から抜き外すことができる。
【００６１】
以上のように構成した本実施形態に係る回転ブラシ付き吸込み具１８によると、延長管１４に対して後付け可能なオプションアタッチメントとして取り扱うことができる。すなわち、既に購入済みのハンディクリーナ１０に回転ブラシ付き吸込み具１８を装着することができる。これにより、クリーナ本体１２側と吸込み具１８側との間に配索する電気配線を不要とし、その電気配線による重量アップ、操作性の悪化及びコストアップ等を抑制することができる。
【００６２】
また、延長管１４に接続されるケース本体６０を備え、ケース本体６０に、ブラシ用電動モータ１４６（図１４参照）に給電する乾電池７７を保持する構成としている（図４参照）。したがって、ハウジング１３２に乾電池７７を保持する構成とした場合におけるハウジング１３２の大型化を回避することができる。このため、狭隘な場所での掃除が可能となり、使用性を向上することができる。すなわち、使い勝手の良い回転ブラシ付き吸込み具１８を提供できる。また、クリーナ本体１２のバッテリパック２５をブラシ用電動モータ１４６の電源として使用しないため、クリーナ本体１２の運転時間に影響を及ぼすことがない。
【００６３】
また、ケース本体６０に備えたブラシ用スイッチ８８（図１参照）によりブラシ用電動モータ１４６（図１４参照）の駆動をオン・オフすることができる。このため、回転ブラシ１４２を回転させたいときのみ、ブラシ用スイッチ８８をオンすればよい。また、クリーナ本体１２側にブラシ用スイッチ８８を備える場合と比べて、電気配線を簡素化することができる。また、ブラシ用スイッチ８８が電池ケース５８の電池収納部７５の後側に配置されているので、使用者が容易に操作することができる。
【００６４】
また、ケース本体６０に、乾電池７７を覆うカバー体６２を軸回りの回動により開閉可能に設けている（図１１及び図１２参照）。したがって、乾電池７７の交換に際して、ケース本体６０に対してカバー体６２を軸回りの回動により開閉することができる。
【００６５】
また、延長管１４に受口部４８を利用して電池ケース５８を接続する構成としている（図４参照）。これにより、既存の延長管１４に対する電池ケース５８の取付けを容易に行うことができる。また、延長管１４からの電池ケース５８の脱落を防止することができる。また、延長管１４に電池ケース５８を接続することによる管長の増加を抑制することができる。
【００６６】
［変更例］
前記実施形態には種々変更を加えることができる。例えば、本発明は、ハンディクリーナ１０に限らず、床移動式クリーナ、スティック式クリーナー、ショルダー式クリーナ等にも適用することができる。また、本発明は、コードレスクリーナに限らず、コード付きクリーナにも適用することができる。また、本発明は、延長管１４に対して後付け可能なオプションアタッチメントとして構成されているが、新規に販売するクリーナにオプションアタッチメントとして付加してもよい。
【００６７】
また、ブラシ用電動モータ１４６（図１４参照）の電源としての乾電池７７は、単３形に限らず、単１形、単２形、単４形、角柱型等でもよい。また、乾電池７７の本数、配列形態等は適宜変更することができる。また、ブラシ用電動モータ１４６の電源としての電池としては、乾電池７７の他、二次電池いわゆる充電式電池を用いてもよい。また、電池として、クリーナ本体１２に用いられるバッテリパック２５と同一のバッテリパックを用いてもよい。また、電池ケース５８の電池収納部７５は、ケース本体６０のケース外筒部６６の上側に限らず、ケース外筒部６６の下側、あるいは、ケース外筒部６６の左右両側のうちの少なくとも片側等に配置してもよい。
【００６８】
また、前記実施形態では、回転ブラシ付き吸込み具１８を吸込み具本体５６と電池ケース５８とにより構成したが、吸込み具本体５６に電池ケース５８を一体的に備えてもよい。また、電池ケース５８のカバー体６２のカバー内筒部１１２の前端部と延長管１４の受口部４８の後端部とは、テーパ面４９，１１６同士の当接に限らず、相互に軸方向に当接する関係にあればよい。例えば、延長管１４の受口部４８の後端部にテーパ面４９に代えて段付面を形成する一方、カバー内筒部１１２の前端部にその段付面に当接可能な端面を形成してもよい。
【符号の説明】
【００６９】
１０…ハンディクリーナ
１２…クリーナ本体
１４…延長管
１８…回転ブラシ付き吸込み具（クリーナ用吸込み具）
６０…ケース本体（管部材）
７７…乾電池（電池）
８８…ブラシ用スイッチ
１３２…ハウジング（吸込み口側部材）
１４２…回転ブラシ
１４６…ブラシ用電動モータ
【図１】
2014200406.tif 000003
【図２】
2014200406.tif 000004
【図３】
2014200406.tif 000005
【図４】
2014200406.tif 000006
【図５】
2014200406.tif 000007
【図６】
2014200406.tif 000008
【図７】
2014200406.tif 000009
【図８】
2014200406.tif 000010
【図９】
2014200406.tif 000011
【図１０】
2014200406.tif 000012
【図１１】
2014200406.tif 000013
【図１２】
2014200406.tif 000014
【図１３】
2014200406.tif 000015
【図１４】
2014200406.tif 000016
【図１５】
2014200406.tif 000017
【図１６】
2014200406.tif 000018
【図１７】
2014200406.tif 000019